(57)【要約】      （修正有）【課題】人力で縦枠を取り外すことなく自動的に昇降できるシャッター装置を提供する。【解決手段】シャッター装置は、昇降ユニット１と、縦枠２と、シャッターとを含み、昇降ユニット１は押動端１１と枢着端１２を有し、枢着端１２は軸管１２３に枢動自在に結合する連動軸１２１を有し、押動端１１と枢着端１２の間に伸縮部材１３を有し、伸縮部材１３が偏心棒１４によって枢着端１２の軸管１２３に連接し、縦枠２は昇降ユニット１における押動端１１及び枢着端１２の連動軸１２１に結合し、縦枠２に対する平行線と偏心棒１４の延伸線とが交わって交角を形成し、シャッターが縦枠２に隣接する。【選択図】図１
0003223060.tif 000002
【実用新案登録請求の範囲】
【請求項１】
昇降ユニットと、縦枠と、シャッターとを含み、前記昇降ユニットは押動端と枢着端を有し、前記枢着端は軸管に枢動自在に結合する連動軸を有し、前記押動端と前記枢着端の間に伸縮部材を有し、前記伸縮部材が偏心棒によって枢着端の軸管に連接し、前記縦枠は前記昇降ユニットにおける押動端及び枢着端の連動軸に結合し、前記縦枠に対する平行線と前記偏心棒の延伸線とが交わって交角を形成し、前記シャッターが前記縦枠に隣接する、ことを特徴とするシャッター装置。
【請求項２】
前記連動軸が相対する結合端と重量配置端を有し、前記結合端は前記縦枠に連接され、前記重量配置端は重量配置物を連接し、前記重量配置物と前記縦枠はそれぞれ前記連動軸の径方向における相対する両側に位置することを特徴とする請求項１に記載のシャッター装置。
【請求項３】
前記伸縮部材は伸縮棒及び駆動部材を有し、前記伸縮棒は前記押動端に連接し、前記駆動部材は前記伸縮棒の伸縮を駆動することを特徴とする請求項１に記載のシャッター装置。
【請求項４】
前記偏心棒の一端が前記軸管に固定され、前記偏心棒の他端が前記伸縮部材において押動端に相対する軸に枢設し、且つ前記押動端と前記軸とを通す基準線が前記連動軸を通さないようにすることを特徴とする請求項１に記載のシャッター装置。
【請求項５】
前記縦枠は頂端及び前記頂端に相対する地面当接端を有し、前記縦枠において頂端と地面当接端の間の側縁に前記シャッターを結合する案内溝を有することを特徴とする請求項１に記載のシャッター装置。
【請求項６】
前記シャッターの案内側縁及び前記シャッターの地面当接側縁の間に案内部材を枢設し、前記案内部材において相対する両端の間に枢接部を有し、案内部材は枢接部によりシャッターに枢動自在に結合し、前記案内部材において相対する両端にはそれぞれ前記縦枠に向って前記案内溝に相対する第一滑車、及び前記地面当接側縁に向う第二滑車を有することを特徴とする請求項５に記載のシャッター装置。
【請求項７】
前記昇降ユニットの連動軸は、前記縦枠における前記案内溝に近接する内角に結合することを特徴とする請求項５に記載のシャッター装置。
【請求項８】
前記シャッター装置は位置制限部材をさらに含み、前記位置制限部材が前記縦枠の地面当接端を収容する当接溝を有することを特徴とする請求項１〜請求項７のいずれか１項に記載のシャッター装置。
【請求項９】
前記当接溝は入り口を有し、前記入り口は前記当接溝内に向って延伸して相対する当接面と案内面を形成し、且つ前記当接溝は前記入り口から前記案内面に沿って内に向って次第に縮まるように形成することを特徴とする請求項８に記載のシャッター装置。
【請求項１０】
前記当接溝は入り口を有し、前記入り口は前記当接溝内に向って延伸して相対する二つの案内面を形成することを特徴とする請求項８に記載のシャッター装置。
【請求項１１】
枢着端と押動端を有し、前記枢着端は軸管に枢動自在に結合する連動軸を有し、前記押動端と前記枢着端の間に伸縮部材を有し、前記伸縮部材が偏心棒によって枢着端の軸管に連接し、前記偏心棒の一端が前記軸管に固定され、他端が前記伸縮部材の軸に枢動自在に連接し、且つ前記押動端と前記軸とを通す基準線が前記連動軸を通さないようになってい
ることを特徴とする昇降ユニット。
【考案の詳細な説明】
【技術分野】
【０００１】
本考案は、シャッター装置に関するものであり、特に、出入り口の幅を調整するために、縦枠を昇降させる昇降ユニットを有するシャッター装置に係るものである。
【背景技術】
【０００２】
図９に示されるように、建物の出入り口に設置している従来のシャッター装置９は、シャッター９１と側門９２の間に縦枠９３を設置している。
【先行技術文献】
【特許文献】
【０００３】
【特許文献１】中華民国公告第Ｍ５５６２８１号
【考案の概要】
【考案が解決しようとする課題】
【０００４】
しかしながら、建物の出入り口を広げるときに、縦枠９３を取り外さければならないので人力や時間がかかり、不便という問題があった。
【課題を解決するための手段】
【０００５】
本考案は、上記の課題を解決するため、人力で縦枠を取り外すことなく自動的に昇降できるシャッター装置及びその昇降ユニットを提供する。
【０００６】
本考案において、「前」、「後」、「左」、「右」、「上（頂）」、「下（底）」、「内」、「外」、「側面」等の方向に関する用語は、主に図面の方向を参照するものであり、上記の各方向に関する用語は、本考案の各実施例を説明する或いは理解できるように用いられるものであり、本考案を限定するものではない。
【０００７】
本考案のシャッター装置は昇降ユニットと、縦枠と、シャッターとを含み、前記昇降ユニットは押動端と枢着端を有し、前記枢着端は軸管に枢動自在に結合する連動軸を有し、前記押動端と前記枢着端の間に伸縮部材を有し、前記伸縮部材が偏心棒によって枢着端の軸管に連接し、前記縦枠は前記昇降ユニットにおける押動端及び枢着端の連動軸に結合し、前記縦枠に対する平行線と前記偏心棒の延伸線とが交わって交角を形成し、前記シャッターが前記縦枠に隣接する。
【０００８】
本考案の昇降ユニットは枢着端と押動端を有し、前記枢着端は軸管に枢動自在に結合する連動軸を有し、前記押動端と前記枢着端の間に伸縮部材を有し、前記伸縮部材が偏心棒によって枢着端の軸管に連接し、前記偏心棒の一端が前記軸管に固定され、他端が前記伸縮部材の軸に枢動自在に連接し、且つ前記押動端と前記軸とを通す基準線が前記連動軸を通さないようになっている。
【０００９】
よって、本考案のシャッター装置及びその昇降ユニットは、シャッター装置の縦枠が昇降ユニットに結合することによって、シャッターが上昇したり下降したりすると共に縦枠を駆使して上昇したり下降したりするため、出入り口を通る度に人力で縦枠を取り外すことなく、時間を節約し、利便性を向上させる効果を達することができる。
【００１０】
また、前記連動軸が相対する結合端と重量配置端を有し、前記結合端は前記縦枠に連接され、前記重量配置端は重量配置物を連接し、前記重量配置物と前記縦枠はそれぞれ前記連動軸の径方向における相対する両側に位置する。よって、縦枠の回転安定性を向上させ
、縦枠をより円滑に回転させる効果を有する。
【００１１】
また、前記伸縮部材は伸縮棒及び駆動部材を有し、前記伸縮棒は前記押動端に連接し、前記駆動部材は前記伸縮棒の伸縮を駆動する。よって、縦枠を駆動して上昇したり下降したりして、時間を節約し、利便性を向上させる効果を達することができる。
【００１２】
また、前記偏心棒の一端が前記軸管に固定され、前記偏心棒の他端が前記伸縮部材において押動端に相対する軸に枢設し、且つ前記押動端と前記軸とを通る基準線が前記連動軸を通らないようにする。よって、縦枠の側に向う力が生成されるため、連動軸を軸心として縦枠を回転して上昇させ、出入り口を広げる効果を達することができる。
【００１３】
また、前記縦枠は頂端及び前記頂端に相対する地面当接端を有し、前記縦枠において頂端と地面当接端の間の側縁に前記シャッターを結合する案内溝を有する。よって、シャッターは安定に上昇したり下降したりすることができると共に、縦枠に位置制限されるため、出入り口を確実に閉める効果を有する。
【００１４】
また、前記シャッターの案内側縁及び前記シャッターの地面当接側縁の間に案内部材を枢設し、前記案内部材において相対する両端の間に枢接部を有し、案内部材は枢接部によりシャッターに枢動自在に結合し、前記案内部材において相対する両端を前記縦枠に向って前記案内溝に相対する第一滑車、及び前記地面当接側縁に向う第二滑車を有する。よって、シャッターは安定に上昇したり下降したりすることができると共に、縦枠に位置制限されるため、出入り口を確実に閉める効果を有する。
【００１５】
また、前記昇降ユニットの連動軸は、前記縦枠における前記案内溝に近接する内角に結合する。よって、縦枠の内角箇所を回転軸心とし、縦枠を安定に回転させ、縦枠の頂端上の梁や飾りつけによる影響及び障害物を避けることができる。
【００１６】
また、前記シャッター装置は位置制限部材をさらに含み、前記位置制限部材が前記縦枠の地面当接端を収容する当接溝を有する。よって、縦枠の地面当接端が位置制限部材に当接され、縦枠を確実に所定位置に決められることができる。
【００１７】
また、前記当接溝は入り口を有し、前記入り口は前記当接溝内に向って延伸して相対する当接面と案内面を形成し、且つ前記当接溝は前記入り口から前記案内面に沿って内に向って次第に縮まるように形成する。よって、縦枠の地面当接端が位置制限部材に当接され、縦枠を確実に所定位置に決められることができる。
【００１８】
また、前記当接溝は入り口を有し、前記入り口は前記当接溝内に向って延伸して相対する二つの案内面を形成する。よって、縦枠の地面当接端が位置制限部材に当接され、縦枠を確実に所定位置に決められることができる。
【図面の簡単な説明】
【００１９】
【図１】図１は、本考案の一実施例の概略構造図である。
【図２】図２は、本考案の一実施例の昇降ユニットの立体構造図である。
【図３】図３は、本考案の一実施例のシャッターを上昇させる説明図である。
【図４】図４は、本考案の一実施例の縦枠を上昇させる説明図である。
【図５】図５は、本考案の一実施例の縦枠が収容される説明図である。
【図６】図６は、本考案の一実施例のシャッターを閉める説明図である。
【図７】図７は、図６のＡ−Ａ線に沿った断面図である。
【図８】図８は、本考案の位置制限部材の第二実施例の断面図である。
【図９】図９は、従来のシャッター装置の概略構造図である。
【考案を実施するための形態】
【００２０】
本考案の一実施形態について、以下、図面を参照して説明する。図１に示すように、本考案のシャッター装置の第一実施例は、昇降ユニット１と、縦枠２と、シャッター３とを含み、シャッター３が上昇または下降する際に縦枠２を上昇または下降させるように、昇降ユニット１は縦枠２に結合されている。図２に示すように、昇降ユニット１は縦枠２の表面において相対する二箇所にそれぞれに結合する押動端１１と枢着端１２とを有し、押動端１１は縦枠２に押す力を与えることで、縦枠２を昇降ユニット１の枢着端１２を軸心として回転させることができる。詳しく言うと、枢着端１２は連動軸１２１を有し、連動軸１２１は縦枠２に連接する結合端１２１ａを有するため、連動軸１２１が回転すると共に縦枠２を連動軸１２１の径方向の基準面に時計回りまたは反時計回りに回転させる。注意すべきことは、連動軸１２１において結合端１２１ａに相対する重量配置端１２１ｂを有することができ、重量配置端１２１ｂには重量配置物１２２を連接することができ、好ましくは、重量配置物１２２と縦枠２とはそれぞれ連動軸１２１の径方向における相対する両側に位置する。よって、図４に示すように、縦枠２が連動軸１２１に対して反時計回りに回転する際に、重量配置物１２２の重さにより、梃子の原理で反対方向に力を与えることができるため、連動して縦枠２を回転させることで、縦枠２の回転安定性を向上させ、縦枠２をより円滑に回転させる効果を有する。
【００２１】
連動軸１２１の結合端１２１ａ及び重量配置端１２１ｂの間で枢動自在に軸管１２３を結合することができ、連動軸１２１が軸管１２３に対して枢動を行うと共に縦枠２を回転させることができる。軸管１２３の外周面において昇降ユニット１をリンテルまたは梁に固定するのに用いられる固定部材１２４を有することができ、そして固定部材１２４はねじまたはボルトでリンテルまたは梁に固定されることができ、それは当業者には理解できるものであり、本考案では説明を省略する。
【００２２】
昇降ユニット１の押動端１１及び枢着端１２の間に伸縮部材１３を有し、その伸縮部材１３により押動端１１を枢着端１２に対して伸ばせたり縮ませたりすることができる。例を挙げると、伸縮部材１３はリニアアクチュエータであってもよく、そして伸縮部材１３は伸縮棒１３１及び駆動部材１３２を有し、伸縮棒１３１は押動端１１に連接し、駆動部材１３２は伸縮棒１３１の伸縮を駆動することで、押動端１１が枢着端１２に対して伸縮する。また、駆動部材１３２はリニアモーターであってもよく、そして駆動部材１３２は電力源に電気的接続して電力源から電気を供給することは当業者には理解できるものであり、本考案では説明を省略する。
【００２３】
図２、図３に示したように、伸縮部材１３は偏心棒１４によって枢着端１２の軸管１２３に連接することができ、詳しく言うと、偏心棒１４の一端が前記軸管１２３に固定され、偏心棒１４の延伸線と縦枠２に対する平行線とが交わって交角θを形成し、偏心棒１４の他端が伸縮部材１３の押動端１１に相対する軸１３３を回動自在に連接し、よって伸縮部材１３において相対する両端を通す基準線Ｔが枢着端１２の連動軸１２１を通さないようにすることができる。
【００２４】
図１、図２に示したように、縦枠２は相対する頂端２１及び地面当接端２２を有し、その頂端２１と地面当接端２２との間に前記径方向の基準面に平行する結合面２３を有し、昇降ユニット１の連動軸１２１が結合面２３において頂端２１に近接する箇所に結合する。よって、縦枠２の頂端２１に近接する箇所を回転軸心とするため、前記径方向の基準面において縦枠２を便利に回転させて上昇させることができる。又、縦枠２において頂端２１と地面当接端２２との間の側縁に、シャッター３を結合して、シャッター３の昇降を案内する案内溝２４を有することができる。
注意すべきことは、好ましくは昇降ユニット１の連動軸１２１は結合面２３における案内
溝２４に近接する内角に結合する。よって、縦枠２の内角を回転軸心とし、縦枠２を安定に回転させ、縦枠２の頂端２１上の梁や飾りつけによる影響及び障害物を避けることができ、好ましくは内角は円角であることで、縦枠２をより円滑に回転させる効果を有する。
【００２５】
シャッター３は建物の出入り口、例えば車庫や戸口などに設置してその出入り口を開閉する従来のシャッターであってもよく、例を挙げると、シャッター３は駆動装置（図示せず）により、シャッター３を駆動して所定高さまで上昇させることで出入り口を開く。本実施例ではシャッター３が、縦枠２に隣接して縦枠２の案内溝２４に結合される案内側縁３１を有し、よって、シャッター３は安定に上昇したり下降したりすることができると共に、縦枠２に位置制限されるため、出入り口を確実に閉める効果を有する。
【００２６】
注意すべきことは、シャッター３の案内側縁３１とシャッター３の地面当接側縁３２との間に案内部材３３を枢設することができ、詳しく言うと、案内部材３３において相対する両端の間に枢接部３３１を有し、案内部材３３は枢接部３３１によりシャッター３に枢動自在に結合し、案内部材３３において相対する両端にはそれぞれ、縦枠２に向って案内溝２４に相対する第一滑車３３２、及び地面当接側縁３２に向って、地面当接側縁３２に開設される収容溝３４に収容される第二滑車３３３を有する。よってシャッター３を上昇させる際に、縦枠２の案内溝２４が第一滑車３３２を案内することができ、そしてシャッター３を下降させる際に、第二滑車３３３がシャッター３に当接することでシャッター３と縦枠２との結合安定性を向上させることができる。また、シャッター３により出入り口を閉めることで地面当接側縁３２が地面に当接する際に、地面において第二滑車３３３に位置合わせる箇所に第二滑車３３３を収容するための溝Ｈを開設することができ、これにより、地面当接側縁３２は地面に着接し、出入り口を確実に閉める効果を有する。
【００２７】
図３に示したように、本考案のシャッター装置を使用するとき、シャッター３を駆動して上昇させ、シャッター３の案内側縁３１を縦枠２の案内溝２４に沿って上昇させると共に、案内部材３３の第一滑車３３２により安定に上昇する効果を達する。
【００２８】
図３〜図５に示したように、縦枠２は昇降ユニット１の連動軸１２１を軸心としてシャッター３の地面当接側縁３２に向って反時計回りに回転して上昇し、縦枠２の案内溝２４の片側がシャッター３の地面当接側縁３２に当接するようにし、縦枠２の収容を完成することができる。詳しく言うと、昇降ユニット１の駆動部材１３２は押動端１１が枢着端１２に対して伸びるように伸縮棒１３１を駆動して伸ばすと共に、押動端１１に相対する軸１３３は前記伸ばすことによる反対方向の力を受け、この際、伸縮部材１３の基準線Ｔは偏心棒１４により枢着端１２の連動軸１２１の軸心を通さないようになっているため、前記反対方向の力の方向は縦枠２に平行になっておらず、縦枠２に対して横方向力が生成されるため、連動軸１２１を軸心として縦枠２を回転して上昇させると共に、重量配置物１２２の重さにより、梃子の原理で反対方向の力を与えることができるため、縦枠２の回転を連動させ、出入り口を広げる効果を達することができる。
【００２９】
出入り口を閉める際、シャッター３を駆動して下降させ、昇降ユニット１の駆動部材１３２は伸縮棒１３１を縮めるように駆動し、縦枠２は時計回りに回転して地面に垂直するように所定位置まで下降してから、シャッター３の案内側縁３１を縦枠２の案内溝２４に沿って下降させると共に、案内部材３３の第一滑車３３２が縦枠２に当接することにより、シャッター３が安定に案内されて下降する効果を達する。注意すべきことは、シャッター３の当接側縁３２を地面に当接したとき、第二滑車３３３が地面にある溝Ｈに当接することができ、これにより、シャッター３の案内側縁３１をより安定に縦枠２の案内溝２４に当接させ、出入り口を強固に閉める効果を有することができる。
【００３０】
図１に示したように、本考案のシャッター装置は位置制限部材４をさらに含み、縦枠２
を時計回りに下降させるとき、縦枠２の地面当接端２２が位置制限部材４に当接し、縦枠２を確実に所定位置に決めることができる。図７に示したように、前記位置制限部材４が縦枠２の地面当接端２２を収容する当接溝４１を有することができ、当接溝４１は入り口４２を有し、入り口４２は当接溝４１内に向って延伸して相対する当接面４１１と案内面４１２を形成し、且つ当接溝４１は前記入り口４２から案内面４１２に沿って内に向って次第に縮まるように形成する。よって、縦枠２を時計回りに下降させるとき、入り口４２から案内面４１２によって当接面４１１に当接するように当接溝４１に結合することができる。或いは、図８に示したように、入り口４２は当接溝４１内に向って延伸して相対する二つの案内面４１２を形成してもよく、二つの案内面４１２がそれぞれに相対する二つの当接面４１１に連接され、これによって、縦枠２を時計回りに下降させるとき、入り口４２から二つの案内面４１２によって二つの当接面４１１に当接するように当接溝４１に結合することができ、安定に位置を決められる効果を達することができる。
【００３１】
従って、本考案のシャッター装置及びその昇降ユニットは、シャッター装置の縦枠が昇降ユニットに結合することによって、シャッターが上昇または下降すると共に縦枠を駆動して上昇または下降させるため、出入り口を通る度に人力で縦枠を取り外すことなく、時間を節約し、利便性を向上させる効果を達することができる。
【００３２】
本考案は、その精神と必須の特徴事項から逸脱することなく他のやり方で実施することができる。従って、本明細書に記載した好ましい実施形態は例示的なものであり、本考案の範囲を限定するものではない。
【符号の説明】
【００３３】
１                    昇降ユニット
１１                  押動端
１２                  枢着端
１２１                連動軸
１２１ａ              結合端
１２１ｂ              重量配置端
１２２                重量配置物
１２３                軸管
１２４                固定部材
１３                  伸縮部材
１３１                伸縮棒
１３２                駆動部材
１３３                軸
１４                  偏心棒
２                    縦枠
２１                  頂端
２２                  地面当接端
２３                  結合面
２４                  案内溝
３                    シャッター
３１                  案内側縁
３２                  地面当接側縁
３３                  案内部材
３３１                枢接部
３３２                第一滑車
３４                  収容溝
３３３                第二滑車
４                    位置制限部材
４１                  当接溝
４１１                当接面
４１２                案内面
９                    シャッター装置
９１                  シャッター
９２                  側門
９３                  縦枠
θ                    交角
Ｔ                    基準線
Ｈ                    溝
【図１】
0003223060.tif 000003
【図２】
0003223060.tif 000004
【図３】
0003223060.tif 000005
【図４】
0003223060.tif 000006
【図５】
0003223060.tif 000007
【図６】
0003223060.tif 000008
【図７】
0003223060.tif 000009
【図８】
0003223060.tif 000010
【図９】
0003223060.tif 000011